(57)【要約】【課題】別構成の水タンクや上水配管がなくても長時間の連続加湿運転を可能とするものであり、ユーザーに給水回数の削減をした加湿装置を提供する。【解決手段】水位検知装置１０からの信号によって制御装置１１が加湿フィルター上下移動装置１２を駆動させることにより、加湿フィルター３を上下させることにより加湿フィルター３の吸水部分が水面９より下に位置するよう維持して運転できるようにする。これにより、水タンクや上水との接続がなくても比較的長時間の連続加湿運転が可能となり、さらに湿度センサー１７を用いた自動加湿運転や空気清浄フィルター１８を用いた空気清浄運転をあわせ持つ加湿装置も構成することができる。【選択図】図１
2010151365.tif 000002
【特許請求の範囲】
【請求項１】
吸込口と吹出口を連通し形成された空気流路に送風手段を設けた本体と、この本体内に水を吸収して保水し前記送風手段によって運ばれる空気中に保水した水分を放出する加湿手段と、この加湿手段に供給する水をためておく水トレーと、この水トレーの水位を検知する検知手段と、前記水トレーの水位により前記加湿手段の位置を上下する移動手段と、加湿手段の浸水位置を所定の位置に調整する制御手段とを備えた加湿装置。
【請求項２】
吸込口と、吹出口と備えた本体と、この本体の内部に前記吸込口と吹出口を連通させる空気流路と、この空気流路に設けて前記吸込口から吸気して吹出口から空気を吹出す送風手段と、前記空気流路に配置した水を吸収させた保水手段を有する加湿手段と、この保水手段に供給する水をためる水トレーと、この水トレーの水位を検知する検知手段と、前記保水手段の位置を調整する移動手段と、前記検知手段の検知した水位により移動手段を制御する制御手段とを設けた加湿装置。
【請求項３】
加湿手段は、円筒に形成した保水手段と、この保水手段を水平方向に配置して回転させる回転手段とを有し、この円筒の外周の一部を水トレー内の水に浸漬させて構成する請求項２記載の加湿装置。
【請求項４】
制御部に室内の湿度を検知する湿度検知手段と、その検知結果により送風手段の運転風量を可変させる能力調整手段を備えたことを特徴とする請求項１または２記載の加湿装置。
【請求項５】
制御部に加湿量を設定するスイッチと、このスイッチの設定によって加湿量を可変する加湿量調整手段とを備えた請求項１または２記載の加湿装置。
【請求項６】
空気流路内に吸い込んだ空気の汚れを除去する空気清浄フィルターを備えた請求項１または２記載の加湿装置。
【請求項７】
制御部は、湿度が所定の値より高いときに加湿手段を水トレーの水位面より上方に移動させる請求項４記載の加湿装置。
【請求項８】
検知した水位の残量を表示する表示手段を本体に備えたことを特徴とする請求項１または２記載の加湿装置。
【請求項９】
加湿手段の位置に応じて、風向を調節する風向板を吸込口と加湿手段の間に設けた請求項１または２記載の加湿装置。
【発明の詳細な説明】
【技術分野】
【０００１】
本発明は、加湿フィルターに保持された水分を気化して空気を加湿する加湿装置ならびに空気清浄機能や除湿機能を融合した機能を有する電化機器の制御に関する。
【背景技術】
【０００２】
近年、家庭内や職場内の空気の質に対する快適性の追求が高まり、温度調整・空気の汚れ除去・梅雨時の湿気の低下などとともに主として冬季暖房時の乾きの防止（湿度を高める）ための加湿が求められている。
【０００３】
そうした要求にたいしては、超音波やヒーターで水分を気化して加湿する方式もあるが近年の省エネなどの要求と一旦水分を保持したあと空気を当てられて空中に水分を放出して加湿する機能を有する加湿フィルターの能力の向上から、気化式の加湿装置が増加している。もちろん、これら加湿装置はヒーターなどと併用して加湿能力を向上させた機器も存在する。
【０００４】
従来このような加湿装置において加湿フィルターに供給する水は水トレーに蓄えられ、その水を加湿フィルターが吸収し、前記加湿フィルターに送風された空気によって吸収されていた水分が放出されることによって加湿が行われている。
【０００５】
そして、その水トレーは加湿フィルターの形状によって加湿フィルターを水トレーの水中に十分に浸すだけの深さが必要であるが、同時に深さは加湿フィルターの形状で決まるために水トレーに保持する水量は水トレーの底面積の広さに従うことになる。しかしながら、水トレーの底面積を増加させるということは加湿装置本体の底面積を増加させることに他ならず、昨今の住宅事情などを考慮するとこの選択肢には限界がある。
【０００６】
また、水量を増加させる別の方法としては、水トレーに給水できる別体の水タンクを付属させる方法や、上水道から止水栓を介して供給できるようにしたシステムが存在する。（例えば、特許文献１および特許文献２参照）。
【０００７】
例として、図５にしめすように、加湿装置１０１には機器外部から空気を取り込む吸込口１０２と加湿フィルター１０３を通過させて機器外部へ吹出口１０４から加湿された空気を送出させるファン１０５とそれを駆動するモータ１０６と、加湿フィルター１０３に水を供給する水トレー１０７を備えている。
【０００８】
また、加湿フィルター１０３は円筒形の形状をしており、円筒形の周囲部分に水トレーに浸漬させることにより水分を保持し空気をあてられることにより保持した水分を空気中に放出することができるフィルターを備え、この円筒を回転させることための小型のモータを合わせて備えているものとする。円筒形のフィルターの素材としてはポリエステルなどが利用できる。
【０００９】
この例の場合、加湿フィルター１０３が水１０８を吸収して運転するため、運転とともに水１０８が減少することにより水面１０９が下る。運転するに従って水面１０９が下がることにより加湿フィルター１０３が水１０８を吸収することができなくなる。また、水トレー１０７の深さは加湿フィルター１０３の浸漬させる深さに依存するため、一定以上の深さにして貯水量を増加させても効果がない。
【００１０】
そのため、別に水を補給するための水タンクや上水からの給水管が必要となる。一例として一般的な形式として、水タンク１１０を加湿装置１０１内に併設し、水タンク内水１１１を水トレー１０７の水１０８の水面１０９と水タンク内水面１１２にかかる大気圧差を利用して水タンク給水弁１１３を通じて水トレー１０７内の水１０８が減少したときに水を補給することができるとしたものである。
【特許文献１】特開２００６−２９２２４９号公報
【特許文献２】特開２００８−６４３７７号公報
【発明の開示】
【発明が解決しようとする課題】
【００１１】
しかしながら、このような加湿装置では、現在最もよく利用されている水タンクを持つ場合には水タンク内水面は必ず水トレーの水面より上になければならず、加湿フィルターやファン、モータといった構成部品と水平方向での場所の競合があるため形状に限度があり貯水量も限られてしまう上に設置面積は必ず増大する。
【００１２】
また、大気圧差を利用しない場合は別途コンプレッサーやポンプといった動力装置が必要となり、複雑かつ高価な装置となる。
【００１３】
また、水タンクを用いない場合も上水との接続が必要となるため、構成が複雑になるとともに上水との接続部分をファンやモータや加湿フィルターと同じく水トレーより上部に設置する必要があるために床面積が増加する構成になってしまう。また、上水との接続では止水線や逆止弁など複雑な水配管が必要となり製造面の工数だけでなく設置においても専門的な資格が必要となり一般に普及させることは難しい。
【００１４】
本発明は、このような課題を解決するものであり、別構成の水タンクや上水配管がなくても長時間の連続加湿運転を可能とするものであり、ユーザーに給水回数の削減を提供することを目的としている。
【課題を解決するための手段】
【００１５】
本発明の加湿装置は上記目的を達成するために、吸込口と吹出口を連通し形成された空気流路に送風手段を設けた本体と、この本体内に水を吸収して保水し前記送風手段によって運ばれる空気中に保水した水分を放出する加湿手段と、この加湿手段に供給する水をためておく水トレーと、この水トレーの水位を検知する検知手段と、前記水トレーの水位により前記加湿手段の位置を上下する移動手段と、加湿手段の浸水位置を所定の位置に調整する制御手段とを備えたことを特徴としたものである。
【００１６】
この手段により、制御手段は、検知手段により水位を検知して加湿手段の浸水位置を調整することで、加湿手段の加湿量を維持しながら加湿を行う加湿装置を提供することができる加湿装置が得られる。
【００１７】
また、他の手段は、吸込口と、吹出口と備えた本体と、この本体の内部に前記吸込口と吹出口を連通させる空気流路と、この空気流路に設けて前記吸込口から吸気して吹出口から空気を吹出す送風手段と、前記空気流路に配置した水を吸収させた保水手段を有する加湿手段と、この保水手段に供給する水をためる水トレーと、この水トレーの水位を検知する検知手段と、前記保水手段の位置を調整する移動手段と、前記検知手段の検知した水位により移動手段を制御する制御手段とを設けたことを特徴としたものである。
【００１８】
この手段により、制御手段は、検知手段により水位を検知して保水手段の浸水位置を調整することで、加湿手段の加湿量を維持しながら加湿を行う加湿装置を提供することができる加湿装置が得られる。
【００１９】
また、他の手段は、加湿手段は、円筒に形成した保水手段と、この保水手段を水平方向に配置して回転させる回転手段とを有し、この円筒の外周の一部を水トレー内の水に浸漬させて構成することを特徴としたものである。
【００２０】
この手段により、保水手段の一部が水トレー内の水に浸漬されることで、残りの部分は通風路として、通過する空気に水分を放出させ、その保水手段を回転させることにより連続的に加湿ができる加湿装置が得られる。
【００２１】
また、他の手段は、制御部に室内の湿度を検知する湿度検知手段と、その検知結果により送風手段の運転風量を可変させる能力調整手段を備えたことを特徴としたものである。
【００２２】
この手段により、能力調整手段は、湿度検知手段の検知した湿度に応じて送風手段の運転風量を調節することにより快適な湿度環境を得られる加湿装置が得られる。
【００２３】
また、他の手段は、制御部に加湿量を設定するスイッチと、このスイッチの設定によって加湿量を可変する加湿量調整手段とを備えたことを特徴としたものである。
【００２４】
この手段により、制御部は、ユーザーが設定した加湿量に応じて加湿量を調整することができる加湿装置が得られる。
【００２５】
また、他の手段は、空気流路内に吸い込んだ空気の汚れを除去する空気清浄フィルターを備えたことを特徴としたものである。
【００２６】
この手段により、本体内部の加湿フィルターやファンといった構成部品の汚れ防止を図るとともに加湿機能に加えて空気清浄機能を有することができる加湿装置が得られる。
【００２７】
また、他の手段は、制御部は、湿度が所定の値より高いときに加湿手段を水トレーの水位面より上方に移動させる機能を備えたことを特徴としたものである。
【００２８】
この手段により、湿度が上昇して加湿が不要となった場合などに加湿フィルターを水面上に保持することができ、フィルターを乾燥させてカビなどの発生の防止を図れるとともに、空気清浄機能のみの運転も選択できることによって加湿機能が不要な時期にも空気清浄機として使用可能な加湿装置が得られる。
【００２９】
また、他の手段は、検知した水位の残量を表示する表示手段を本体に備えたことを特徴としたものである。
【００３０】
この手段により、ユーザーに残水量を容易に認識させることができる加湿装置が得られる。
【００３１】
また、加湿手段の位置に応じて、風向を調節する風向板を吸込口と加湿手段の間に設けたものである。
【００３２】
この手段により、検出した水位に応じて調節した加湿手段の位置に対応させて、風向板により加湿手段に確実に空気を通過させる加湿量を安定化させた加湿装置が得られる。
【発明の効果】
【００３３】
本発明によれば、加湿装置において、水トレーの容量を十分に大きくできることから長時間の加湿運転に必要な水量が確保させることができるとともに、さらに別体の水タンクがなくてもユーザーの給水回数を少なくするという効果のある加湿装置を提供できる。
【００３４】
また、前記加湿装置において、室内の湿度を検知する手段により送風手段による風量を可変させることや、加湿量を設定するスイッチを設けることにより送風手段による風量を可変させることにより加湿量を制御できるという効果のある加湿装置を提供できる。
【００３５】
また、検知した水位の残量を表示することや、水トレーにさらに給水するための水タンクを追加することにより適宜機能を拡張した加湿装置を提供できる。
【発明を実施するための最良の形態】
【００３６】
本発明の請求項１記載の発明は、水トレーの水を加湿手段に給水させて送風手段により空気中に水分を放出することにより加湿する加湿装置において、吸込口と吹出口を連通し形成された空気流路に送風手段を設けた本体と、この本体内に水を吸収して保水し前記送風手段によって運ばれる空気中に保水した水分を放出する加湿手段と、この加湿手段に供給する水をためておく水トレーと、この水トレーの水位を検知する検知手段と、前記水トレーの水位により前記加湿手段の位置を上下する移動手段と、加湿手段の浸漬位置を所定の位置に調整する制御手段とを備えたものであり、制御手段は、検知手段により水位を検知して加湿手段の浸漬位置を調整することで、加湿手段の加湿量を維持しながら加湿を行うことができるという作用を有する。
【００３７】
また、請求項２記載の発明は、吸込口と、吹出口と備えた本体と、この本体の内部に前記吸込口と吹出口を連通させる空気流路と、この空気流路に設けて前記吸込口から吸気して吹出口から空気を吹出す送風手段と、前記空気流路に配置した水を吸収させた保水手段を有する加湿手段と、この保水手段に供給する水をためる水トレーと、この水トレーの水位を検知する検知手段と、前記保水手段の浸漬位置を調整する移動手段と、前記検知手段の検知した水位により移動手段を制御する制御手段とを設けたものであり、制御手段は、検知手段により水位を検知して保水手段の浸漬位置を調整することで、加湿手段の加湿量を維持しながら加湿を行うことができるという作用を有する。
【００３８】
また、請求項３記載の発明は、加湿手段は、円筒に形成した保水手段と、この保水手段を水平方向に配置して回転させる回転手段とを有し、この円筒の外周の一部を水トレー内の水に浸漬させて構成するようにしたものであり、保水手段の一部が水トレー内の水に浸漬されることで、残りの部分は通風路として、通過する空気に水分を放出させることができるという作用を有する。
【００３９】
また、請求項４記載の発明は、制御部に室内の湿度を検知する湿度検知手段と、その検知結果により送風手段の運転風量を可変させる能力調整手段を備えるようにしたものであり、能力調整手段により、湿度検知手段の検知した湿度の応じて送風手段の運転風量を調節することができるという作用を有する。
【００４０】
また、請求項５記載の発明は、制御部に加湿量を設定するスイッチと、このスイッチの設定によって加湿量を可変する加湿量調整手段とを備えるようにしたものであり、制御部は、ユーザーが設定した加湿量に応じて加湿量を調整することができるという作用を有する。
【００４１】
また、請求項６記載の発明は、空気流路内に吸い込んだ空気の汚れを除去する空気清浄フィルターを備えるようにしたものであり、本体内部へ外部の汚れの進入を防止するとともに、清浄な加湿空気を室内に放出できるという作用を有する。
【００４２】
また、請求項７記載の発明は、制御部は、湿度が所定の値より高いときに加湿手段を水トレーの水位面より上方に移動させる機能を備えたものであり、湿度が上昇して加湿が不要となった場合などに加湿フィルターを水面上に保持することができ、フィルターを乾燥させてカビなどの発生の防止を図れるとともに、空気清浄機能のみの運転も選択できるという作用を有する。
【００４３】
また、請求項８記載の発明は、検知した水位の残量を表示する表示手段を本体に備えるようにしたものであり、ユーザーに残水量を容易に認識させることができるという作用を有する。
【００４４】
また、請求項９記載の発明は、加湿手段の位置に応じて、風向を調節する風向板を吸込口と加湿手段の間に設けたものであり、検出した水位に応じて調節した加湿手段の位置に対応させて、風向板により加湿手段に確実に空気を通過させることができるという作用を有する。
【００４５】
以下、本発明の実施の形態について図面を参照しながら説明する。
【００４６】
（実施の形態１）
図１は本願発明における加湿装置の基本構成を示したものである。
【００４７】
図１に示すように加湿装置１には機器側面に配置して外部から空気を取り込む吸込口２と、この空気に加湿をする加湿フィルター３と、加湿された空気を機器の上面から外部へ吹出す吹出口４と、吸込口２から加湿フィルター３へ空気を吸い込み、吹出口４から空気を吹出させるファン５と、このファン５を駆動するモータ６と、前記加湿フィルター３に水を供給する水トレー７とを備えている。
【００４８】
また、水トレー７内には、水８の水位を検知する検知手段として水位検知装置１０を備えている。すなわち、水位検知装置１０は水面９の位置を検出するものである。
【００４９】
また、加湿フィルター３は、円筒の形状をしており、円筒の周囲部分に配置して水トレー７に浸漬させることにより水分を保持して、そこに空気をあてることにより保持した水分を空気中に放出する保水手段としてのフィルター素子１３を形成して備え、この円筒形の中心軸を水平方向に配置して回転させる小型のモータを備えている。すなわち、加湿フィルター３は、保水手段としてフィルター素子１３を円筒形に形成して空気流路に配置したものである。また、フィルター素子１３は、この円筒形の中心軸を水平方向に配置して、回転手段としての小型モータ１３ａにより回転駆動させる構成としている。
【００５０】
加湿フィルター３の構成について図２を用いて説明を加える。
【００５１】
図２に示すように、加湿フィルター３のフィルター素子１３は、水８に浸漬させることによって吸水しファン５による送風によって水分を放出する機能を有する素材としてポリエステルを用いたものである。そして、両側面に設けた円形の側面サポート１４と、この側面サポート１４をつなぐ骨格（図示せず）により円筒形状を形成し、その外周にフィルター素子１３を保持させて加湿フィルター３を形成する。また、側面サポート１４の中心に合わせて配置したフィルター軸１５とこの軸に連結させる前記小型モータ１３ａの軸受けであるモータ軸受け１６を備えている。
【００５２】
そして、以上のように構成した加湿フィルター３の上方向側には、この加湿フィルター３を吊り下げて、水トレー７内で上下に位置を移動させる上下移動手段である加湿フィルター上下移動装置１２が備えられている。
【００５３】
そして、これらモータ６と、小型モータ１３ａと、水位検知装置１０と、加湿フィルター上下移動装置１２とを電気的に接続して、駆動制御する制御装置１１を備える。
【００５４】
また、水トレー７は、加湿装置１の底面部に位置し、その上部に加湿フィルター３と、ファン５と、モータ６と、小型モータ１３ａと、制御装置１１と加湿フィルター上下移動装置１２を配置する。
【００５５】
上記構成によって、水トレー７には所定の位置まで水８が入っていてその水面９に加湿フィルター３のフィルター素子１３が浸漬している。このフィルター素子１３は、円筒に形成された円周の一部が浸漬される位置で固定されている。
【００５６】
加湿装置１を運転すると、制御装置１１の作用により、ファン５がモータ６により駆動され吸込口２から空気が吸い込まれ加湿フィルター３を通過することとなる。このとき加湿フィルター３は小型モータ１３ａによりゆっくりと回転をし、水トレー７のなかでフィルター素子１３で水を吸収し、風路に運ばれて通過する空気接触することで湿気を放出することとなる。そして、この空気はさらに吹出口４に運ばれて、機器の上面から吹出されることとなる。
【００５７】
すなわち、加湿フィルター３は小型モータ１３ａによってこのモータ軸受け１６を介して回転させられることによって、フィルター素子１３を水８への浸漬・吸水と送風路への移動・水分の放出を繰り返して加湿作用を実現している。
【００５８】
ところが、水トレー７に貯めた水８は、加湿装置１の運転時間が進むことにより、減少しその水面９は加湿フィルター３よりも低くなる。水面９が低くなると、フィルター素子１３への水８の吸収ができなくなる。
【００５９】
そこで、本実施の形態では、水位検知装置１０が水面９を検知して、その信号を受けた制御装置１１は、加湿フィルター上下移動装置１２を駆動して、加湿フィルター３の高さ位置を水面９に合わせることとなる。このようにして、加湿フィルター３のフィルター素子１３を水面９に対して常に一定の高さで浸るようにすることで、加湿量を所定の量に保ちながら加湿装置１の運転を行うことができる。
【００６０】
これによって、水位の変化に対応して加湿フィルター３位置を調整することができるので、水トレー７をより深いものにして備えることで加湿運転を続けることができ、水トレー７への頻繁な水の供給を不要にして、ユーザーの手間をかけずに長時間加湿装置の運転をさせることができる。結果として、従来の加湿装置のように給水タンクを用意しなくても、本実施例のように長時間の加湿装置の運転を実現することができる。
【００６１】
また、水トレー７は、加湿装置１の底面部に位置し、その上部に加湿フィルター３と、ファン５と、モータ６と、小型モータ１３ａと、制御装置１１と加湿フィルター上下移動装置１２を配置することで、従来の加湿装置のように、給水タンクを水トレーの横に配置することが不要となり、加湿装置の底面積を低減してより、コンパクトな加湿装置を提供することができる。
【００６２】
なお、加湿フィルター３は、フィルター素子を円盤状に形成し、その中心に同心円でフィルター軸とモータ軸受けを設けて回転させる円盤状の形態のものでも良い。
【００６３】
また、水位を検出する水位検知装置１０の例としては図１に示すような簡便なフロートを用いた検出装置や水と空気の電気伝導率の差を利用した電極方式などが一般的に利用できる。（図は省略する）この場合、フロートや電極を水位高さ方向に異なった高さに複数設置することで、複数段階の水位検知が容易に行え、それに従って加湿フィルター３の位置を制御装置が多段階で上下させることも実現できる。（図は省略する。）。
【００６４】
また、加湿フィルター部分を上下させる手段の例としては、駆動は制御装置から任意のパルスを送出することで用意に回転角度を制御できるステッピングモータを利用するのが一般的で、そのモータの軸にピニオンギアを用い、上下させる側にラックギアを用いるラック・アンド・ピニオンギア方式が利用できる。（図は省略する）。
【００６５】
さらに、風路の吸込口側近傍に湿度センサー１７を設けることによって、加湿装置が設置されている室内環境の湿度を検知し制御装置１１において、一定の湿度に達した場合にはモータの運転を停止させることにより加湿運転を停止することができる。また、湿度の状況に応じてモータの回転数を制御することによって風量を変化させ加湿量の調整を図ることも可能である。
【００６６】
さらに、風路の吸込口２に空気清浄フィルター１８を設けることにより、加湿装置１内へ吸気する空気を清浄にすることができる。この空気清浄フィルター１８によって加湿装置１内の加湿フィルター３やファン５への汚れの付着を防止するとともに、加湿装置１に加湿機能に加えて空気清浄機能を付与することができる。
【００６７】
空気清浄フィルターとしては、ＨＥＰＡやＵＬＰＡと一般的に呼ばれる市販の空気清浄機用高性能フィルターのほか、カテキンなどの機能成分を付加したフィルターなども目的に応じて利用できる。
【００６８】
さらに、前記湿度センサー１７の検知結果によって加湿運転が不要と判断されたときに、制御装置１１によって加湿フィルター上下移動装置１２を作動させて加湿フィルター３を水面９の上に移動させかつモータ６を運転させることによって、加湿を行わない空気清浄機能のみの装置としての機能を持たせることもできる。
【００６９】
（実施の形態２）
図３は本願発明における加湿装置のスイッチ操作および表示部分の形態を示したものである。
【００７０】
図３の例では実施の形態１に示した空気清浄機能も併せ持った応用機器を例にしており、ユーザーが操作できるスイッチとして加湿装置の運転／停止を切り換えられる運転停止スイッチ１９と加湿空気清浄機能と空気清浄機能を切り換えられるモード設定スイッチ２０とモータの出力を切り換えることで加湿量や空気清浄の風量を切り換えられる風量設定スイッチ２１を有しており、それぞれの状態を表示する表示部２２を合わせて備えている。また、表示部２２には図１の水位検知装置１０によって検知された結果によって水位の状態を表示する表示手段２３を備えることでユーザーに水位量の情報を報知することができる。図３の例では表示手段２３には加湿フィルターの移動限界を超えて水位が低くなったときに点灯あるいは点滅してユーザーに渇水を知らせることのできる渇水状態表示２３ａと水の消費量の状態を表示する水位状態表示２３ｂを合わせ備える。
【００７１】
運用例としては、限界水位以下になった状態のときに渇水状態表示２３ａのみを点滅あるいは点灯させて水位状態表示２３ｂを消灯することでユーザーに渇水を明示し加湿運転停止を知らせ、限界水位以上の水が確保されているときには渇水状態表示２３ａを消灯し水位状態表示２３ｂを点灯させることでユーザーに水の残量を報知させることができる。ここで、水位状態表示２３ｂの例では水位をあらわすことを明示している「水位」という文字とともに、残水量を５段階で表示するマークをここでは四角のシンボルで表現しているマークを使って表示させている。この例では、白抜きの四角は水のない状態であり、黒ベタ塗りの四角は水のある状態とし、５段階のうち下から３段階目までの水量保持の状態を示している。
【００７２】
上記構成によって、運転停止スイッチ１９によってユーザーは任意に加湿装置の運転と停止を切り換えることができる。また、モード設定スイッチ２０によって加湿と空気清浄を同時に行う加湿空気清浄機能と加湿フィルターを水面上に移動させることで空気清浄のみを行う空気清浄機能を任意に選択できる。また、風量設定スイッチ２１によって加湿空気清浄機能および空気清浄機能いずれの場合にもモータの出力を任意に切り換えることで必要な運転風量を設定できる。
【００７３】
また、表示手段２３によってユーザーは水の残量を容易に知ることができ加湿量の判断や次回の給水時期の予測が可能となるとともに、水が渇水状態となったときに給水が必要であることを容易に知ることができる。
【００７４】
（実施の形態３）
図４は本願発明における加湿装置の別の実施の形態を示したものである。
【００７５】
実施の形態１に加えて、吸込口２の内側に、風向板２４を備えたことを特徴とする。
【００７６】
なお、本実施の形態の理解を容易にするために、実施の形態１と同一の構成については、同一の符号を付し、その説明は簡略化する。
【００７７】
すなわち、図４に示すように、吸込口２と加湿フィルター３の間の風路には、前記加湿フィルター３が最も高い位置に位置したときに、その上側の筐体に沿わしたＲ形状を有する風向板２４を設け、この風向板２４一端は回転軸２５を有し他端が回動するように構成する。前記回転軸２５は、他端に比べて高い位置にあり、他端を加湿フィルター３の上側に配置する。また、回転軸２５は、風向板２４を回動させる第２小型モータ２６に接続されている。そして、制御装置１１は、加湿フィルター上下移動装置１２の位置に合わせて風向板２４を回動させる構成とする。
【００７８】
実施の形態１のように、加湿フィルター３は、水面９の高さに応じて水トレー７内で移動をする。そして、水面９の高さに合わせて、次第に低い位置に移動をしていく。このとき、加湿フィルター３は、風路から外れていくこととなる。そこで、より安定して加湿をおこなうために、本実施の形態では、特に、加湿フィルター３の位置が下がるとともに、風向板２４を回動させて、より加湿フィルター３側にその他端を近づけて、加湿フィルター３の上方の風路を遮るものである。したがって、加湿フィルター３が低い位置になると、吸込口２から吸い込まれた空気は、風向板２４の下側を通過して、水トレー７に深く浸漬させている加湿フィルター３へ導かれることとなる。そして、加湿フィルター３は吸収している湿気をこの空気に放出することができ、加湿量を安定させることができる。
【００７９】
すなわち、加湿フィルター３の高さ位置に応じて、回動の角度を調節する風向板２４を設けることで、水トレー７内の水面９の高さに応じて加湿フィルター３と風向板２４の回動角度を調節して、加湿フィルター３のフィルター素子１３に吸収させる水の量を一定にすることができ、また、加湿フィルター３の位置が低く変わっても風向板２４の作用により、加湿フィルター３を通過する空気の量を一定に確保することができて、加湿装置１の加湿量をより安定化することができる。
【産業上の利用可能性】
【００８０】
本発明の加湿装置は、水トレーの水位検知機能と加湿フィルターの上下移動機能を利用することにより、水補給頻度の低い加湿装置を得られる効果があるため、加湿機や加湿空気清浄機といった小型の家庭用電化機器をはじめ、業務用加湿装置や水イオン発生装置などの加湿機能応用機器にも適用できる。
【図面の簡単な説明】
【００８１】
【図１】本発明の実施の形態１の加湿装置の構成の一例を示す図
【図２】同加湿装置を構成する加湿フィルターの構成の一例を示す図
【図３】本発明の実施の形態２の加湿装置のスイッチおよび表示部の形態の一例を示す図
【図４】本発明の実施の形態３の加湿装置の構成の一例を示す図
【図５】従来例の加湿装置の構成図
【符号の説明】
【００８２】
１      加湿装置
２      吸込口
３      加湿フィルター
４      吹出口
５      ファン
６      モータ
７      水トレー
８      水
９      水面
１０    水位検知装置
１１    制御装置
１２    加湿フィルター上下移動装置
１３    フィルター素子
１３ａ  小型モータ
１４    側面サポート
１５    フィルター軸
１６    モータ軸受け
１７    湿度センサー
１８    空気清浄フィルター
１９    運転停止スイッチ
２０    モード設定スイッチ
２１    風量設定スイッチ
２２    表示部
２３    表示手段
２３ｂ  水位状態表示
２４    風向板
２５    回転軸
２６    第２小型モータ
１０１  加湿装置
１０２  吸込口
１０３  加湿フィルター
１０４  吹出口
１０５  ファン
１０６  モータ
１０７  水トレー
１０８  水
１０９  水面
１１０  水タンク
１１１  水タンク内水
１１２  水タンク内水面
１１３  水タンク給水弁
【図１】
2010151365.tif 000003
【図２】
2010151365.tif 000004
【図３】
2010151365.tif 000005
【図４】
2010151365.tif 000006
【図５】
2010151365.tif 000007